(57)【要約】【課題】  外観を損なわず構造簡単な蓋の脱落防止機構を有する飲料抽出用のポットを提供する。【解決手段】  飲料抽出用ポット１は、本体２と蓋３と濾し網４を有する。本体２の開口６の内周縁部に、蓋３の周縁部を載せ受ける環状の内側膨出部１０と、その外周縁から立ち上がる環状のカラー１１とを設ける。カラー１１は、略全体にわたり上方に向かって内すぼまりとなる傾斜を持ち、把手９側の一部をより大きく内側へ倒れるように膨出させた係合部１２を有する。蓋３は、周縁の一部を本体２の内側膨出部１０と係合部１２との間に挿入するように内側膨出部１０上に載せて本体２に装着する。貯湯空間７に収容された液体を注口８から注出するために本体２を定置状態から略９０°転倒させたとき、蓋３が、本体１の内側膨出部１０と係合部１２との間に保持されると同時に、カラー１１の内すぼまりの傾斜により蓋３の滑落が止められる。【選択図】  図１
0003119346.tif 000002
【実用新案登録請求の範囲】
【請求項１】
側壁に包囲され上部の略円形の開口を介して上方へ開放する貯湯空間と、前記開口の周縁の一部が半径方向外側へ広がることにより形成された注口と、この注口と前記開口を隔てて対向する位置の側壁の外側に設けられた把手とを有する本体と、
周縁部を前記本体の開口の周縁部に嵌合させることによって開口を閉じるように本体に装着される略円盤状の蓋とを具備し、
前記本体の開口の内周縁部には、前記蓋の周縁部を載せ受けるための略環状の内側膨出部と、この内側膨出部の外周縁から立ち上がる略環状のカラーとを具備し、
このカラーは、略全体にわたり上方に向かって内すぼまりとなる傾斜を有すると共に、前記把手側の位置の一部がより大きく内側へ倒れるように膨出することにより形成された係合部を有し、
前記蓋は、その周縁の一部を前記本体の内側膨出部と係合部との間に挿入するように内側膨出部上に載せて本体に装着され、
貯湯空間に収容された液体を注口から注出するために前記本体を定置状態から転倒させたときに、前記蓋が、本体の内側膨出部と係合部との間に保持されると同時に、前記カラーの内すぼまりの傾斜により蓋の滑落が止められるように構成されることを特徴とする飲料抽出用ポット。
【請求項２】
前記本体に装着される濾し網をさらに具備し、この濾し網は、前記本体の開口から貯湯空間内へ挿入される腕状のメッシュと、このメッシュの上縁を補強する環状枠とを有し、環状枠の一部を本体の内側膨出部と係合部との間に挿入するように内側膨出部上に載せて本体に装着され、
前記濾し網の環状枠の上に重ねて前記内側膨出部上に載せるように前記蓋が前記本体に装着され、
貯湯空間に収容された液体を注口から注出するために前記本体を定置状態から略９０°転倒させたときに、前記蓋と前記濾し網の環状枠が、本体の内側膨出部と係合部との間に保持されると同時に、前記カラーの内すぼまりの傾斜により蓋の滑落が止められるように構成されることを特徴とする請求項１に記載の飲料抽出用ポット。
【請求項３】
前記本体を定置状態から略９０°転倒させたときに、貯湯空間に収容された液体が全て注口から注出されるよう注口の位置と形状が設定されていることを特徴とする請求項１又は２に記載の飲料抽出用ポット。
【請求項４】
前記本体及び蓋がガラス製であることを特徴とする請求項１又は２に記載の飲料抽出用ポット。
【考案の詳細な説明】
【技術分野】
【０００１】
この考案は、緑茶、紅茶、ハーブティ等の飲料を抽出するためのポットに関する。
【背景技術】
【０００２】
本体を内容物注出のために傾けても、蓋が脱落することがない急須として、特許文献１に記載されたものがある。この急須は、本体の開口部周縁の注出口側部分に、突出部が設けられる。突出部は、開口側に突出するように形成され、閉められた蓋の端縁に係合して、本体の内容物注出のための傾斜にかかわらず蓋の転落を防止するものである。
【特許文献１】実開平４−１０４９６４号公報
【考案の開示】
【考案が解決しようとする課題】
【０００３】
上記従来の急須においては、本体の開口部周縁の注出口側部分に、突出部が設けられるため、蓋の転倒を阻止するために、当該突出部の突出寸法及び幅寸法が十分大きくなければならず、そのため、突出部の存在が急須の外観を損なうという問題点がある。
したがって、この考案は、外観を損なうことのない簡単な構造の蓋の脱落防止機構を有する飲料抽出用のポットを提供することを課題としている。
【課題を解決するための手段】
【０００４】
上記課題を解決するため、この考案においては、蓋３と本体２を有する飲料抽出用ポット１において、本体２の開口６の内周縁部に、蓋３の周縁部を載せ受けるための環状の内側膨出部１０と、この内側膨出部１０の外周縁から立ち上がる略環状のカラー１１とを設ける。カラー１１には、略全体にわたり上方に向かって内すぼまりとなる傾斜をつけ、把手９側の位置の一部をより大きく内側へ倒れるように膨出させて係合部１２を形成する。蓋３は、その周縁の一部を本体の内側膨出部１０と係合部１２との間に挿入するように内側膨出部１０上に載せて本体２に装着するようにする。貯湯空間７に収容された液体を注口８から注出するために本体２を定置状態から略９０°転倒させたときに、蓋３が、本体１の内側膨出部１０と係合部１２との間に保持されると同時に、カラー１１の内すぼまりの傾斜により蓋３の滑落が止められるように構成する。
【考案の効果】
【０００５】
貯湯空間７に収容された液体を注口８から注出するために本体２を定置状態から略９０°転倒させたとき、本体２の把手９側において、蓋３が、本体の内側膨出部１０と係合部１２との間に保持されると同時に、本体２の注口８側において、蓋３がカラー１１の内すぼまりの傾斜により滑落を止められるから、蓋３の脱落が確実に防止される。外観上は、カラー１１上に、本体２の把手９側の小さな係合部１３の存在が認められるのみで、他に従来のポットと異なる目立った形状変更がなく、外観を損ねることがない。
【考案を実施するための最良の形態】
【０００６】
図面を参照してこの考案の実施の形態を説明する。図１は本考案のポットの分解斜視図、図２は本体の断面図、図３は本体の平面図、図４は本考案のポットの定置状態の断面図、図５は本考案のポットの注出状態の断面図である。
【０００７】
図において、ポット１は、ガラス製の本体２と、ガラス製の蓋３と、金属製の濾し網４とを具備する。
【０００８】
本体２は、側壁５に包囲され上部の略円形の開口６を介して上方へ開放する貯湯空間７と、開口６の周縁の一部が半径方向外側へ広がることにより形成された注口８と、この注口８と開口６を隔てて対向する位置の側壁５の外側に設けられた把手９とを有する。
【０００９】
本体の開口６の内周縁部には、蓋３の周縁部を載せ受けるための内側膨出部１０と、この内側膨出部１０の外周縁から立ち上がるカラー１１が設けられる。内側膨出部１０及びカラー１１のいずれも、注口８の部分のみで途切れた略環状をなす。
【００１０】
カラー１１は、略全体にわたり上方に向かって内すぼまりとなるわずかな傾斜α（例えば図２において垂直に対して約１０°）を有する。また、カラー１１は、把手９側の位置の一部を、より大きい角度β（例えば図２において垂直に対して約７０°）内側へ倒れるように膨出させることにより形成された係合部１２を有する。係合部１２と内側膨出部１０との間には、保持空間１３が形成される。
【００１１】
蓋３は、略円盤状で、周縁部を本体２の開口６の周縁部に嵌合させることによって開口６を閉じるように本体２に装着される。蓋３は、その周縁の一部を本体２の内側膨出部１０と係合部１２との間の保持空間１３に挿入するように内側膨出部上１０に載せて本体２に装着される。
【００１２】
濾し網４は、本体２の開口６から貯湯空間７内へ挿入される腕状のメッシュ１４と、このメッシュ１４の上縁を補強する環状枠１５とを有し、環状枠１５の一部を本体２の保持空間１３に挿入するように内側膨出部１０上に載せて本体２に装着される。なお、蓋３は、環状枠１５の上に重ねられる。
【００１３】
このポット１の貯湯空間７に収容された液体を注口８から注出するために、本体２を図４の定置状態から、図５に示すように、略９０°転倒させると、蓋３は、反時計方向に転倒しようとし、また下方へ滑り落ちようとするが、上部が本体２の保持空間１３内に保持されると同時に、特に下部がカラー１１の内すぼまりの傾斜により保持され、転倒、滑落が止められる。蓋３も濾し網４も、本体２に対してきつく嵌合するところがないので、装着取り外しは容易である。
【００１４】
なお、本体を定置状態から略９０°傾斜させたときに、貯湯空間７に収容された液体が全て注口８から注出されるよう、注口８の位置と形状が設定されている。
【産業上の利用可能性】
【００１５】
この考案は、例えば緑茶、紅茶、ハーブティ等を抽出するためのポットとして利用される。
【図面の簡単な説明】
【００１６】
【図１】本考案のポットの分解斜視図である。
【図２】本体の断面図である。
【図３】本体の平面図である。
【図４】本考案のポットの定置状態の断面図である。
【図５】本考案のポットの注出状態の断面図である。
【符号の説明】
【００１７】
１      ポット
２      本体
３      蓋
４      濾し網
５      側壁
６      開口
７      貯湯空間
８      注口
９      把手
１０    内側膨出部
１１    カラー
１２    係合部
１３    保持空間
１４    メッシュ
１５    環状枠
【図１】
0003119346.tif 000003
【図２】
0003119346.tif 000004
【図３】
0003119346.tif 000005
【図４】
0003119346.tif 000006
【図５】
0003119346.tif 000007